(57)【要約】【課題】合体状態での大きさをできるだけコンパクトなものとする。【解決手段】端子金具を収容可能な複数の分割コネクタ２と、各分割コネクタ２を配列させたときの各分割コネクタ２の並び方向に沿った片側の外面に対面するとともに、各分割コネクタ２にそれぞれ係止して各分割コネクタ２を合体状態で連結する連結プレート３と、連結プレート３に設けられた支持部１４と、この支持部に回動可能に取り付けられたレバー１とを備えた構成とすれば、各分割コネクタ２を、これらの片面側に配した連結プレート３によって合体することができるため、分割コネクタ２をフレーム内に収容する形式と比較して全体を小型化することができる。【選択図】図２
2014203769.tif 000002
【特許請求の範囲】
【請求項１】
それぞれに端子金具を収容可能な複数の分割コネクタと、
前記各分割コネクタを配列させたときの各分割コネクタの並び方向に沿った片側の外面に対面するとともに、前記各分割コネクタにそれぞれ係止して前記各分割コネクタを合体状態で連結する連結プレートと、
前記連結プレートに設けられた支持部と、
この支持部に回動可能に取り付けられたレバーとを備えて構成されることを特徴とするレバー式コネクタ。
【請求項２】
前記連結プレートには複数の係止部が形成される一方、前記各分割コネクタには前記各係止部に係止可能な受け部が形成され、前記各係止部と前記各受け部はそれぞれ形状及び大きさが同一に形成されていることを特徴とする請求項１記載のレバー式コネクタ。
【請求項３】
前記連結プレートには、前記各分割コネクタの並び方向と直交する方向に延出し隣接する分割コネクタの間を仕切る仕切り板が設けられるとともに、この仕切り板には隣接する両分割コネクタのそれぞれに係止して隣接する分割コネクタ同士が並び方向に関して離間する方向に変位するのを規制する規制部が形成されていることを特徴とする請求項１又は２に記載のレバー式コネクタ。
【発明の詳細な説明】
【技術分野】
【０００１】
本発明はレバー式コネクタに関するものである。
【背景技術】
【０００２】
従来より、複数の分割コネクタを組み合わせて合体コネクタとし、これを一つの共通レバーにて相手コネクタに嵌合させるようにしたものが知られている。そのような構成のコネクタとして、下記特許文献１を挙げることができる。
【０００３】
このものは、長さ寸法が異なる複数種のコネクタを組み合わせて合体させたときに全体の長さが同一寸法となるような組み合わせで合体コネクタを構成するようにしてある。また、組み合わせの種類が異なってもレバーを共用できるよう、合体される分割コネクタのうちの一つはレバーを回動可能に支持するボス部を設け、かつこのボス部を有する分割コネクタの並び位置を共通とする構成である。
【先行技術文献】
【特許文献】
【０００４】
【特許文献１】特開２０００−２２８２４７号公報
【発明の概要】
【発明が解決しようとする課題】
【０００５】
しかし、上記のものは分割コネクタの組み合わせの種類を変更しても、そのうちの一つはレバーの取付け手段を備えたものであることが必要であり、しかもその並び位置まで固定されてしまう。仮に、レバーの取付け手段を備えた分割コネクタの並び位置を変更してしまうと、その並び位置に応じて複数種のレバーを用意しなければならなくなる。
一方、そのような懸念がない他の形式のコネクタも知られている。例えば、分割コネクタを収容する複数の収容室が形成されたフレームを用いるものであり、フレームにはレバーを回動可能に取り付ける回転軸が形成されていることから、レバーを共通化することができる。
【０００６】
しかし、このようなフレームを用いるものの場合には、各分割コネクタを外側から包囲するフレームの存在により、全体が大型化してしまうという問題があった。
【０００７】
本発明は上記のような事情に基づいて完成されたものであって、各分割コネクタを合体させたときの全体の大きさをできるだけコンパクトなものとしたレバー式コネクタを提供することを目的とする。
【課題を解決するための手段】
【０００８】
本発明のレバー式コネクタは、それぞれに端子金具を収容可能な複数の分割コネクタと、各分割コネクタを配列させたときの各分割コネクタの並び方向に沿った片側の外面に対面するとともに、各分割コネクタにそれぞれ係止して各分割コネクタを合体状態で連結する連結プレートと、連結プレートに設けられた支持部と、この支持部に回動可能に取り付けられたレバーとを備えて構成されるところに特徴を有する。
【発明の効果】
【０００９】
本発明によれば、各分割コネクタを並列させた状態でこれらの片側の外面のみに配された連結プレートによって、全体が合体状態に連結される。したがって、従来のように、フレームによって各分割コネクタを外側から包囲する場合に比較して合体状態のレバー式コネクタを小型化することができる。
【図面の簡単な説明】
【００１０】
【図１】実施例１に係るレバー式コネクタであって、レバーを取り外した状態を示す斜視図
【図２】レバーを取り付けた状態のレバー式コネクタの斜視図
【図３】分割コネクタを示す斜視図
【図４】同じく側面図
【図５】連結プレートを外面側から見た斜視図
【図６】同じく内面側から見た斜視図
【図７】レバー式コネクタの正面図
【図８】図７におけるＡ−Ａ線断面図
【図９】実施例２に係る連結プレートの正面図
【図１０】レバーを取り付けた状態における連結プレートの斜視図
【図１１】レバーを取り外した状態を示す斜視図
【図１２】分割コネクタの斜視図
【図１３】レバー式コネクタの正面図
【図１４】連結プレートにレバーを取り付けた状態を示す斜視図
【発明を実施するための形態】
【００１１】
本発明における好ましい実施の形態を説明する。
（１）本発明のレバー式コネクタは、前記連結プレートには複数の係止部が形成される一方、前記各分割コネクタには前記各係止部に係止可能な受け部が形成され、前記各係止部と前記各受け部はそれぞれ形状及び大きさが同一に形成されている構成が好ましい。
このような構成によれば、連結プレートに対する各分割コネクタの並び順を適宜に変更することができる。
（２）前記連結プレートには、前記各分割コネクタの並び方向と直交する方向に延出し隣接する分割コネクタの間を仕切る仕切り板が設けられるとともに、この仕切り板には隣接する両分割コネクタのそれぞれに係止して隣接する分割コネクタ同士が並び方向に関して離間する方向に変位するのを規制する規制部が形成されるようにしてもよい。
このような構成によれば、合体状態にある各分割コネクタは連結プレートが形成された側と反対側において、仕切り板に形成された規制部により開き止めがされているため、合体状態を強化することができる。
【００１２】
次に、本発明のレバー式コネクタを具体化した実施例１及び２について、図面を参照しつつ説明する。
＜実施例１＞
図２は実施例１に係るレバー式コネクタＬ１を示し、図１はレバー１を取り外した状態を示している。図２に示すように、本実施例１のレバー式コネクタＬ１は３つの分割コネクタ２と、これらを並列させた合体状態で連結する連結プレート３と、連結プレート３に回動可能に取り付けられたレバー１とを備えている。
【００１３】
なお、以下の説明中、「前後」の方向は図３に示す分割コネクタにおいて下側（嵌合面側）を「前」、上側を「後」とし、幅方向とは図１における各分割コネクタの並び方向とする。
【００１４】
さて、本実施例１の分割コネクタ２は外形及び大きさはそれぞれ同一に形成され、いずれも縦・横・高さの各寸法が揃ったブロック状に形成されている。各分割コネクタ２は端子金具（図示しない）を収容するためのキャビティ４を複数室有しており、図示のものでは、図１等に示すように、各分割コネクタ２毎にキャビティ４の配列を異にした三種類が用いられている。各キャビティ４は各分割コネクタ２を前後方向に貫通して形成され、図８に示すように、内部にはそれぞれランス５が撓み可能に形成され、図示しない端子金具（雌端子金具）に係止して抜け止め状態に保持する。
【００１５】
図３は分割コネクタ２を示している。各分割コネクタ２において合体時に連結プレート３と対向する側の面（以下、プレート対向面６という）であって幅方向の中央部には連結プレート３に対する受け溝７（受け部）が設けられている。受け溝７は、何れの分割コネクタ２においても、プレート対向面６における後面側（相手コネクタとの嵌合面と反対側）及びプレート対向面６側の２方向に開放するように形成されている。また受け溝７は各分割コネクタ２の後端面から前後方向に沿って形成され、分割コネクタ２の前端面の僅かに手前の位置に至るまでの範囲に亘って凹み形成されている。このことによって、受け溝７の前端部には連結プレート３に対する前止まり壁８が形成される。受け溝７は底部側が幅方向両側に張り出していて、断面形状が略凸字形状をなすように形成されている。受け溝７の底面における幅方向の中央部はさらに一段深くなって凹溝９を形成している。凹溝９は、図８に示すように、各分割コネクタ２の前端面側からの型抜きによって成形され、前止まり壁８の下側に型抜き孔１０が開口している。凹溝９は受け溝７の後端部より手前の部位に至るまで前後方向に沿って形成されている。このことによって、凹溝９の後端部にはロック受け部１１が形成されている。、このロック受け部１１は後述するように、連結プレート３と係止して各分割コネクタ２を連結プレート３に抜け止め状態で保持できるようにしている。
【００１６】
連結プレート３は合成樹脂材にて一体に形成されている。図５、６に示すように、横長の基板１２を有している。基板１２は、各分割コネクタ２を合体させたときの全幅と等しい幅寸法でかつ各分割コネクタ２の前後寸法と等しい寸法をもって形成されている。連結プレート３の外面側にはレバー１に対する収容凹部１３が凹み形成されている。収容凹部１３は、概ねレバーの輪郭形状に倣った形状をもって形成されていて、図２に示すように、レバー１をほぼ整合状態でかつ面一状態で収容させることができる。
【００１７】
また、収容凹部１３内であって基板１２の幅方向中央部にはレバー１を回動可能に支持するための支軸１４が一体に突出形成されている。支軸１４は、図１に示すように、短円柱状の軸部１４ａと軸部１４ａの先端から張出した一対の抜け止め片１４ｂとから形成されている。
【００１８】
収容凹部１３における支軸１４の図示前方には受入口１５が切欠かれて合体状態にある分割コネクタ２の前端面側へ開口するように形成されている。この受入口１５は相手側コネクタに突設されたカムフォロア（何れも図示しない）を進入可能とするためのものである。
【００１９】
連結プレート３において支軸１４が形成された側と反対側の面には、図６に示すように、各分割コネクタ２に対する３つの係止部１６が一体に突設されている。係止部１６は連結プレート３の幅方向に関し、各分割コネクタ２の配列ピッチと等間隔で配されており、かつ各分割コネクタ２を連結プレート３にて合体させたときに両端に位置する分割コネクタ２の幅方向外面と連結プレート３の幅方向両端面とが面一となるようにしてある。
【００２０】
各係止部１６は連結プレート３の前後方向（図６では上下方向）に関する全長さ範囲に亘って形成されている。各係止部１６は、基板１２から起立する一対の起立部１６ａと両起立部１６ａの立ち上がり端から幅方向外方へ張り出す抜け止め部１６ｂとを備えており、両起立部１６ａは前端部において相互に連結されている。
【００２１】
また、両起立部１６ａ同士が連結されている部分であって、両起立部１６ａによって挟まれた部位には前端部から後端側へ片持ち状に延出するロックアーム１７が両起立部１６ａ間において内方へ撓み可能に形成されている。ロックアーム１７の外面の自由端寄りにはロック突部１８が突出形成されている。このように形成された各係止部１６は、分割コネクタ２の受け溝７に対し後端側から前後方向に沿って差し込み可能である。そして、連結プレート３の差し込みが、各係止部１６の前端面が前止まり壁８に当接する深さまでなされると、ロックアーム１７のロック突部１８がロック受け部１１と弾性的に係止する。これにより、連結プレート３と各分割コネクタ２とは抜け止め状態で固定される（図８参照）。
【００２２】
レバー１は、図１に示すように、基部１ａと基部１ａから延出した操作部１ｂとからなっている。基部１ａは周面が円弧状をなして形成され、中心部には取付孔１ｃが開口している。レバー１は、取付孔１ｃへ支軸１４が軸方向から差し込まれることによって支軸１４周りに回動可能となっている。さらに、基部１ａには弧状にカム溝１ｄが形成されていて、図示はしないが相手側コネクタ（合体状態にあるレバー式コネクタと嵌合可能）の外面に形成されたカムフォロアと係止し、レバー１の回動操作に伴ってコネクタ同士を嵌合に至らせることができる。
【００２３】
上記のように構成された本実施例１のレバー式コネクタＬ１は、次のような要領で組み立てられる。まず、連結プレート３の係止部１６に対し対応する分割コネクタ２の受け溝７を後端側から差し込む。この際には、係止部１６の両起立部１６ａ及び抜け止め部１６ｂが受け溝７の溝壁に沿って摺接する。そして、上記したように、連結プレート３の差し込みが係止部１６の前端面が前止まり壁８に当接する深さまでなされると、ロックアーム１７のロック突部１８がロック受け部１１に弾性的に係止する。これによって、分割コネクタ２が連結プレート３に抜け止め状態で保持される。残りの分割コネクタ２についても、上記の作業を繰り返せば、連結プレート３によって各分割コネクタ２は並列した合体状態で連結され、さらに、連結プレート３の支軸１４にレバー１を取り付けることにより、レバー式コネクタＬ１が組み立てられる。
【００２４】
そして、このように組み立てられたレバー式コネクタＬ１を図示しない相手側コネクタと嵌合させるためには、図２に示す状態からレバー１を起立させ、カム溝１ｄの入口を連結プレート３の受入口１５と連通させておく。その状態で、レバー式コネクタＬ１と相手側コネクタを浅く嵌合させれば、相手側コネクタに形成されたカムフォロアが進入口を介してカム溝１ｄ内に導入される。この状態で、操作部１ｂにてレバー１を回動操作すれば、倍力作用を利用してレバー式コネクタＬ１と相手側コネクタとを低い操作力でもって嵌合状態に至らしめることができる。
【００２５】
以上のように、本実施例１のレバー式コネクタＬ１によれば、片側の面に配された連結プレート３によって各分割コネクタ２を合体状態とすることができるため、従来のような各分割コネクタ２をフレームの収容室内に嵌め込む形態と比較して、レバー式コネクタを小型化することができる。また、本実施例１では各分割コネクタ２はキャビティ配列のみ異にし、その外形及び大きさが同一であり、かつ連結プレート３の係止部１６及び受け溝７が同一規格となっていることから、分割コネクタ２を任意の並び順で合体させることができる。また、このように各分割コネクタの並び順を変更しても、レバー１自体は共用化することができるため、レバー１を個別専用化させずに済む。
【００２６】
＜実施例２＞
図９乃至図１４は本発明の実施例２に係るレバー式コネクタＬ２を示している。実施例２は、合体状態にある各分割コネクタ３０同士が連結プレート３１が設けられている側と反対側において離間しないよう規制手段を設けたものである。
【００２７】
図１２は実施例２に係る各分割コネクタ３０を示している。実施例１と同様、いずれの分割コネクタ３０もキャビティ４の配列が相違するだけで、他の構成（形状・大きさ等）は全て同一である。実施例１の分割コネクタ２と相違する点は、実施例２に係る分割コネクタ３０は、合体時に分割コネクタ３０の並び方向に位置する両側面に一対の規制溝３２を凹み形成した点である。両規制溝３２は、プレート対向面３３と反対側の面に寄った部位に配されている。また、両規制溝３２は各分割コネクタ３０の前後方向に沿いかつこれらが設けられた側面の全長に亘って形成されている。さらに、両規制溝３２の深さ方向の奥部はプレート対向面３３側に向けてほぼ直角に屈曲して掛け止め部３２ａとなっている。
【００２８】
図９、図１０に示すように、連結プレート３１の基板３４において、係止部３５が形成されている側の面からは一対の仕切り板３６が設けられている。なお、係止部３５の構成は、ロックアーム１７を含め、実施例１と同様であるため、詳細な説明は省略する。両仕切り板３６は隣接する係止部３５の間に配され、図１０に示すように、基板３４の全高さ範囲に亘って設けられかつ基板３４から直角に突設されている。両仕切り板３６の突出長さは各分割コネクタ３０の高さ寸法と同じに設定されている。また、両仕切り板３６の突出端部寄りには隣接する分割コネクタ３０の規制溝３２に適合して嵌り合う規制部３７が形成されている。すなわち、各規制部３７は、仕切り板３６から基板３４と平行に張り出す一対の張り出し部と３７ａと、両張り出し部３７ａの先端から直角に屈曲し規制溝３２の掛け止め部３２ａに係止する開き止め部３７ｂとから形成されている。なお、連結プレート３１に関する他の構成およびレバー１に関する構成は、実施例１と同様である。
【００２９】
実施例２の各分割コネクタ３０を連結プレート３１によって合体させるには、各分割コネクタ３０の受け溝７を各係止部３５に、また規制部３７を規制溝３２にそれぞれ適合させて差し込む。そして、係止部３５のロックアーム１７がロック受け部１１に係止すれば、分割コネクタ３０が連結プレート３１に抜け止めされる。この作業を他の分割コネクタ３０に対しても繰り返すことで、全ての分割コネクタ３０が連結プレート３１を介して合体される。この場合において、隣接する分割コネクタ３０同士の間には仕切り板３６が密着状態で介在されるとともに、規制部３７が規制溝３２に係止することで、隣接する分割コネクタ３０間が連結プレート３１と反対側で離間してしまう事態が防止されている。したがって、実施例１に比べてより強固な合体状態を実現することができる。
【００３０】
＜他の実施例＞
本発明は上記記述及び図面によって説明した実施例に限定されるものではなく、例えば次のような実施例も本発明の技術的範囲に含まれる。
（１）上記実施例では、各分割コネクタ２，３０の幅寸法を同一としたが、異なる幅寸法としてもよい。その場合には、当然ながら、対応する係止部１６，３５の位置も変更すことになる。
（２）上記実施例では、各分割コネクタ２，３０はキャビティ４の配列が異なる三種類のものを合体させたが、キャビティ配列も含め同一種の分割コネクタを合体させてもよい。
（３）上記実施例では分割コネクタ２，３０の合体数が３であったが、決して限定されるべきものではない。
（４）実施例２では、各分割コネクタ３０の開き止めのための構成（規制部３７と規制溝３２）及び連結プレート３１に対するロックのための構成（係止部３５のロックアーム１７とロック受け部１１）とを別個に設定したが、規制部３７にロックアーム１７を形成し、規制溝３２にロック受け部１１を形成するようにして、開き止めと連結プレート３１に対するロックとを兼用する構成としてもよい。このように構成すれば、レバー式コネクタの構成をより簡素化することができる。
【符号の説明】
【００３１】
１…レバー
２，３０…分割コネクタ
３，３１…連結プレート
１４…支軸（支持部）
１６，３５…係止部
３２…規制溝
３６…仕切り板
３７…規制部
Ｌ１，Ｌ２…レバー式コネクタ
【図１】
2014203769.tif 000003
【図２】
2014203769.tif 000004
【図３】
2014203769.tif 000005
【図４】
2014203769.tif 000006
【図５】
2014203769.tif 000007
【図６】
2014203769.tif 000008
【図７】
2014203769.tif 000009
【図８】
2014203769.tif 000010
【図９】
2014203769.tif 000011
【図１０】
2014203769.tif 000012
【図１１】
2014203769.tif 000013
【図１２】
2014203769.tif 000014
【図１３】
2014203769.tif 000015
【図１４】
2014203769.tif 000016